【事件の表示】
　平成　５年特許願第１２６７７９号「両面輪転印刷機用の印刷品質検査装置」拒絶査定に対する審判事件［平成　６年　２月２２日出願公開、特開平　６−　４７９０６］について、次のとおり審決する。
【結　論】
　本件審判の請求は、成り立たない。
【理　由】
１．手続の経緯・本願発明
　本願は、平成５年５月２８日（パリ条約による優先権主張１９９２年５月３０日、ドイツ国）の出願であって、その請求項１に係る発明は、平成１２年１２月６日付け手続補正書により補正された明細書及び図面の記載からみて、特許請求の範囲の請求項１に記載された次のとおりのものである。
「両面輪転印刷機用の印刷品質検査装置において、枚葉紙（１）の運動軌道の上側及び下側でしかも、スプロケット（６）と１つのパイル形成装置（３）との間に設けられた直線的な枚葉紙搬送区間（７）の領域内に、整列配置され、前記枚葉紙（１）の運動軌道上で周期駆動される、ＣＣＤ面センサを備えたビデオカメラ（１３；１９）と、該ビデオカメラ（１３；１９）と同期作動される光源（９；１１）とがそれぞれ１つ設けられており、また、検査しようとする枚葉紙（１）上の印刷マーク又は印刷されたラインを選択的に確認するための及び、前記ビデオカメラ（１３；１９）に画像受信命令を発信し、かつ前記光源（９；１１）にフラッシュを発光させる命令を送るための装置が、枚葉紙の前記運動軌道の上側及び下側で前記領域内にそれぞれ１つ設けられており、ビデオカメラ（１３；１９）と、光源（９；１１）と、印刷マーク又は印刷されたラインを選択的に確認するための前記装置との協働作業を調整するためのメモリーを有するマイクロプロセッサユニット（１６）が設けられており、選択された印刷済み杖葉紙の絵柄内容を検出して、目標値として画素でマイクロプロセッサユニット（１６）に記憶する学習モードを有しており、前記光源（９，１０）がフラッシュライト装置として構成されていて、前記ビデオカメラ（ １３ ，１９）は、つかみ爪台車が画像を通過しなくなった時に、全体画像を撮影するように構成及び配置されていることを特徴とする、両面輪転印刷機用の印刷品質検査装置。」（以下、「本願発明」という）
　
２．引用例
　これに対して、当審が通知した平成１２年６月２６日付け起案の拒絶理由に引用した引用例とその記載内容は次のとおりである。
（１）引用例１：特開昭６３−５８１３９号公報
　ａ．「この発明は印刷物を１枚づつ検査する印刷物検査装置に関する。・・・刷り上がりの印刷物が通過する位置に向けて静止撮像カメラを設置し、その静止撮像カメラで撮影した印刷パターンと見本パターンとを比較するようにした。・・・比較することによって、全ての印刷物の良・不良を即座に判定することができるようにしたものである。」（１頁左下欄１６行〜右下欄８行）
　ｂ．「第１図はこの発明の実施例である印刷物検査装置の静止撮像カメラ１等の設置状態を示す図である。図示しない輪転機からは刷り上がった用紙８が排出されている。この用紙８はロール状に巻かれていたものであり、こののち所定寸法に裁断される。・・・各印刷パターン８ａの先頭の側方には印刷パターン開始を示すマーク８ｂが印刷されている。・・・この用紙８の正面に静止撮像カメラ１が設置されている。この静止撮像カメラ１の視野（画面）が前記印刷パターン８ａ大きさ，形状が一致するように設置位置や焦点距離が調整されている。また、前記マーク８ｂが通過する位置に向けてフォトセンサ９が設置されている。フォトセンサ９の設置位置は、このフォトセンサ９が前記マーク８ｂを検知したとき、図示のように静止撮像カメラ１の視野と印刷パターン８ａとが一致するような位置である。」（２頁右上欄１６行〜左下欄１５行）
　ｃ．「第２図は前記印刷物検査装置の制御部のブロック図である。前記静止撮像カメラ１のビデオ信号はＡ／Ｄ変換器２に入力され、デジタル信号に変換され・・・インターフェイス５を介して・・・ＣＰＵ３に入力される。」（２頁左下欄１６行〜右下欄１行）
　ｄ．「フォトセンサ９は静止撮像カメラ１に接続されている。これは、フォトセンサ９の前記マーク８ｂ検知を静止撮像カメラ１のビデオ信号出力のトリガとするためである。」（２頁右下欄１〜５行）
　ｅ．「ＣＰＵ３にはメモリ４が接続されている。このメモリ４には印刷物の理想的な印刷パターンである見本パターンが記憶され・・・実際の印刷物の印刷パターンと比較される。」（２頁右下欄６〜１０行）
　ｆ．「第３図は・・・「静止撮像カメラ」の概略構造を示す図である。光学系であるレンズ１４の後方にはフレーム転送方式のＣＣＤ撮像素子・・・１０が設置され・・・撮像部１１，蓄積部１２および水平シフトレジスタ１３からなっており、前記レンズ１４には撮像部１１が対向している。」（２頁右下欄２０行〜３頁左上欄７行）
　ｇ．「ＣＣＤ１０の各部にはドライバ１５が接続されており、ＣＣＤ１０内の信号（電荷）の移動はこのドライバ１５の指令（クロック信号）に基づいて行われる。ドライバ１５にはコントローラ１６が接続され・・・クロック信号を出力するタイミングを決定してドライバ１５を制御する。」（３頁左上欄１２〜１８行）
　ｈ．「レンズ１４はメカニカルシャッタを持たないため、１／６０秒間露光され・・・被写体に十分な照明が照射されていればこの程度の時間の露光で十分な画像が得られ・・・機械的な構成部分を加えずに１／６０秒よりも短くすることができ・・・露光時間を１／１００００秒とすれば、高速で搬送される印刷物を撮影した場合でも、ブレのない鮮明な印刷パターンの画像を得ることができる。露光サイクルは印刷物が排出されてくる速度にあわせて設定すればよい。」（３頁右上欄１１行〜左下欄７行）
　ｉ．「第５図は前記ＣＰＵ３の動作を示すフローチャートである。まず、ステップｎ１・・・で見本パターンのメモリ４への読み取りを行う。この読み取りは静止撮像カメラ１で読み取ってもよく、・・・こののち、Ａ／Ｄ変換器２から印刷パターンの入力があるまで待機する（ｎ２）。印刷パターンの入力があると、この印刷パターンをメモリ４に記憶している見本パターンとドット毎に比較し、・・・ＣＰＵ３が印刷パターンの良・不良を判定し、その判定結果を出力してもよい。」（３頁左下欄８行〜右下欄６行）
等が記載され、また、第１図に直線的な搬送区間で用紙８の表側を撮影することが、第３図に面状の撮像部１１が図示されている。
　これらの記載から、引用例１には、輪転機用の印刷物検査装置において、用紙８の運動軌道の印刷パターン８ａ側でしかも直線的な用紙搬送区間の領域内に配置され、前記用紙８の運動軌道上で十分な照明のもとに高速サイクルで露光される面状の撮像部１１からなるＣＣＤ１０を備えた静止撮像カメラ１が１つ設けられており、また、検査しようとする用紙８上の印刷されたマーク８ｂを対応する印刷パターン８ａ毎に検知するための及び印刷されたマーク８ｂを検知したときに印刷パターン８ａと視野が一致する前記静止撮像カメラ１にビデオ信号出力のトリガを発信するためのフォトセンサ９からなる装置が、用紙８の前記運動軌道の印刷パターン８ａ側で前記領域内に１つ設けられており、見本パターンの読み取りや印刷パターンとの比較・判定などのために動作するＣＰＵ３及びＣＣＤ１０のドライバ１５をタイミング制御するコントローラ１６などが設けられており、印刷パターンとドット毎に比較される見本パターンを静止撮像カメラ１で読み取って、読み取ったものを印刷パターンとドット毎に比較するためにＣＰＵ３に接続されたメモリ４に記憶するステップを有しており、前記静止撮像カメラ１は印刷パターン８ａの全体を撮影するように構成及び配置されている、輪転機用の印刷物検査装置（以下、「引用例１の発明」という）、が記載されているものと認められる。
（２）引用例２：特開昭６１−１５３５４８号公報
　ａ．「本発明は印刷機において印刷中の印刷物の状態をインラインで、標準状態と比較し、印刷物の異常を検出するための印刷物検査方法に関する。」（１頁右下欄７〜９行）
　ｂ．「印刷速度に同期したストロボ照明を行った」（１頁右下欄１７〜１８行）
　ｃ．「印刷物の絵柄を画素毎にとり込み、この検出された画素毎の絵柄情報をデジタル信号に変換して、予じめ記憶されている画素毎の基準情報との差分を行い、・・・許容範囲内に存在するか否かを判別する印刷物検査方法」（２頁左下欄１〜７行）
　ｄ．「第２図は輪転印刷機に第１図に示す装置を取り付けた状態を示す・・・ロール状の巻取用紙（２）より供給された帯状の印刷用紙（３）は印刷部（１）で表裏４色・・・づつの印刷が行なわれ・・・搬送され・・・印刷物検査装置は表裏４色づつの印刷された後の印刷状態を検査するため・・・検出部（４）のＣＣＤ・ＭＯＳ等のラインセンサにより・・・絵柄全面を画素単位で処理回路（６）へとりこみ、印刷物の正常・異常の判断作業を行なう。」（２頁左下欄１８行〜右下欄１２行）
　ｅ．「検出部（４）から入力される画素毎の絵柄信号はＡ／Ｄコンバータ（１５）を介してデジタル信号とされた後、検査に先だって、正常な印刷物の絵柄信号がとり込まれたときに、基準信号とり込みモードでその絵柄信号を基準メモリー（１７）に記憶される。基準信号が設定された後、検査モードに移行し、絵柄信号は検査信号ＳＩＳとして第１の差分回路（１６）へ送られる。」（３頁左上欄１５行〜右上欄２行）
等が記載されている。
（３）引用例３：特開平４−１２９７４３号公報
　ａ．「従来の絵柄検査装置は・・・両面に印刷された印刷物を一度に検査することはできず、また、濃度情報のみの検査では、多色で印刷された印刷物の検査を詳細に行なうには不十分である。」（２頁左上欄１６行〜右上欄１行）
　ｂ．「第１図は、本発明に係る印刷物の絵柄検査装置を示すもので、大別して、両面に多色印刷された多色印刷物Ｐの表側に対して設けられた表側処理部１と、印刷物Ｐの裏側に対して設けられた裏側処理部２と、これら処理部１，２の各出力に基づき印刷物Ｐの絵柄の良否を判定する総合判定部３と、これら処理部１，２および総合判定部３と通信選択装置４を介して接続される画像解析装置５とから構成されている。表側処理部１および裏側処理部２は、共に同一構成である」（２頁右下欄９〜１９行）
　ｃ．「６はＣＣＤ形のカラーラインセンサで、印刷物Ｐの表面を・・・光学的に走査することにより・・・色成分信号を出力する。７はセンサ駆動回路で、印刷物Ｐの搬送に同期した搬送同期信号・・・に基づきカラーラインセンサ６を駆動制御する。」（３頁左上欄２〜９行）
　ｄ．「１９，２０，２１はパターン比較回路で、色変換回路１７からの各信号Ｌ＊，ａ＊，ｂ＊を予め設定された基準値と比較し、その比較結果を総合判定部３へ出力する。・・・２４はパターン比較回路で、変換回路２２からの色相信号θを予め設定された基準値と比較し、その比較結果を総合判定部３へ出力する。」（３頁右上欄１１行〜左下欄３行）
　ｅ．「画像解析装置５は、幾枚かの印刷物Ｐのデータを収集、解析することにより、パターン比較における上限値および下限値を各信号Ｌ＊，ａ＊，ｂ＊，θについて作成し、通信選択装置４およびＣＰＵ４０を介して、パターン比較回路１９，２０，２１，２４内の上限値発生回路３３および下限値発生回路３４に転送する。こうして、検査をするための基準値が設定される。」（４頁右下欄４〜１１行）
　ｆ．「上限値および下限値から外れた場合、・・・画像の位置信号とその変換信号を記録して行き、・・・画像解析装置５に転送する。画像解析装置５は、転送されてきた情報を解析して上限値および下限値の修正を行なう。・・・計数された上限値および下限値から外れた画素数は、一枚の印刷物Ｐごとに総合判定部３に送出される。総合判定部３は、入力された各情報に基づき総合的に印刷物Ｐの絵柄の良否を判定し、この判定結果を出力する。なお、この判定レベルは画像解析装置５にて修正を行なうことができる。」（５頁左上欄５〜１８行）
　ｇ．「上記実施例によれば、印刷物の表裏両面の色成分情報を同時に読取り、人間の感覚にあった信号に変換してパターン比較を行ない、総合的に絵柄の良否を検査することにより、両面に多色印刷された印刷物の絵柄を詳細に検査することができる。」（５頁左上欄１９行〜右上欄４行）
等が記載されている。
（４）引用例４：特開昭６３−１３７８４４号公報
　枚葉印刷機の排紙装置であって、印刷ユニットＡで枚葉紙に印刷された印刷紙ａ１を、デリバリーチェン３に取り付けた咥爪４で咥えて、下方から上方に向かって直線的斜めに搬送した後、水平方向に搬送して複数基のパレット２上に順次積載し、デリバリーチェン３はスプロケット１１に巻掛けられて上方に転向して印刷ユニットＡ側に戻ること、上記下方から上方に向かって直線的斜めに搬送する区間の下側には、不良品と判定した印刷紙ａ１を区分排紙するための、印刷濃度等印刷品質状況を判定する検査機２４を併設してもよいこと、咥爪４が取り付けられている部分の構成は、デリバリーチェン３に取り付けたブラケット１６に、コロ２０を備えた開放作動アーム１９と爪先端部２１とを軸支した回転軸１７，及び爪台２２を固定支持する支持シャフト１８を支持してなること、従来例においてパレット２は１基であること、等が記載されている。
（５）引用例５：特開昭５９−２００９２７号公報
　カラー印刷監視装置であって、加工部６から巻き取り部７へと搬送されている印刷済み印刷紙５の表面に、表面用ストロボスコープとカラー・テレビジョン・カメラ・ユニット３内のストロボスコープ１１から搬送と同期してパルス状ストロボ光を照射し、該ユニット３内のカラー・テレビジョン・カメラ１２で印刷紙５の情報を撮像して静止画を得て、カラー・テレビジョン・モニタ２で印刷ずれや印刷汚れなどを監視すること、等が記載されている。
　
３．対比・判断
　本願発明（以下、「前者」という）と引用例１の発明（以下、「後者」という）とを対比するに、後者の、「輪転機」は輪転印刷機である点で前者の両面輪転印刷機と共通し、「印刷物検査装置」は印刷物の印刷品質を検査することから印刷品質検査装置ということができ、「用紙８」は印刷紙である点で前者の枚葉紙と共通し、「印刷パターン８ａ側」は印刷面側である点で前者の上側及び下側と共通し、「高速サイクルで露光される面状の撮像部１１からなるＣＣＤ１０を備えた静止撮像カメラ１」は周期駆動されるＣＣＤ面センサを備えたビデオカメラということができ、「印刷されたマーク８ｂを対応する印刷パターン８ａ毎に検知する」ことは印刷マークを選択的に確認していることであり、印刷されたマーク８ｂを検知したときに印刷パターン８ａと視野が一致する前記静止撮像カメラ１に「ビデオ信号出力のトリガを発信」することは画像受信命令を発信しているということができ、「印刷パターンとドット毎に比較される見本パターンを静止撮像カメラ１で読み取」ることは選択された印刷済みの絵柄内容を検出することということができ、「読み取ったものを印刷パターンとドット毎に比較するためにＣＰＵ３に接続されたメモリ４に記憶するステップを有して」いることは目標値として画素で記憶する手段を有している点で前者の目標値として画素でマイクロプロセッサユニット（１６）に記憶する学習モードを有していることと共通し、及び「印刷パターン８ａの全体を撮影する」ことは全体画像を撮影することであるから、両者の間には、次のような一致点と相違点とが認められる。
　＜一致点＞輪転印刷機用の印刷品質検査装置において、印刷紙の運動軌道の印刷面側でしかも、直線的な印刷紙搬送区間の領域内に、前記印刷紙の運動軌道上で周期駆動される、ＣＣＤ面センサを備えたビデオカメラが１つ設けられており、また、検査しようとする印刷紙上の印刷マークを選択的に確認するための及び、前記ビデオカメラに画像受信命令を発信するための装置が、印刷紙の前記運動軌道の印刷面側で前記領域内に１つ設けられており、選択された印刷済み印刷紙の絵柄内容を検出して、目標値として画素で記憶する手段を有しており、前記ビデオカメラは全体画像を撮影するように構成及び配置されていることを特徴とする、輪転印刷機用の印刷品質検査装置。
　＜相違点１＞輪転印刷機と印刷紙について、前者は、両面輪転印刷機と枚葉紙であるのに対し、後者は、両面輪転印刷機や枚葉紙に適用するものであるか否か定かでない点。
　＜相違点２＞前者は、ビデオカメラをスプロケットと１つのパイル形成装置との間に設けられた直線的な枚葉紙搬送区間の領域内で枚葉紙の運動軌道上の上側及び下側に配置し、ビデオカメラによる撮影をつかみ爪台車が画像を通過しなくなった時に行うのに対し、後者は、ビデオカメラを印刷後の直線的な印刷紙搬送区間の領域内で印刷紙の運動軌道上の印刷面側に配置すること以外定かでない点。
　＜相違点３＞前者は、ビデオカメラと同期作動する光源がビデオカメラと共に整列配置され、フラッシュライト装置として構成され、ビデオカメラに画像受信命令を発信する装置から送られる命令でフラッシュを発光するのに対し、後者は、このような光源を設けていない点。
　＜相違点４＞前者は、ビデオカメラと光源と印刷マーク確認用の装置との協働作業を調整するためのメモリーを有すると共に目標値を記憶するマイクロプロセッサユニットを設けているのに対し、後者は、このようなマイクロプロセッサユニットを設けているか否か定かでない点。
　＜相違点５＞目標値を記憶する手段を、前者は、学習モードとして有しているのに対し、後者は、学習モードとして有しているか否か定かでない点。
　
　相違点１について検討する。
　枚葉紙の両面に印刷する両面輪転印刷機は例示するまでもなく周知にすぎないことに加え、引用例２に両面輪転印刷機で印刷したものについて印刷品質を検査することが、引用例３に両面に印刷した一枚の印刷物毎に両面の印刷品質を検査することが、引用例４に枚葉紙の印刷品質の状況を判定することが記載されていることから、相違点１は輪転印刷機と印刷紙についての単なる限定又は転用にすぎないものであって格別のものは認められない。
　相違点２について検討する。
　引用例３には、印刷物の両面の印刷品質を一枚の印刷物毎に同時に検査するために、搬送されている印刷物の表面側及び裏面側にＣＣＤ形のカラーラインセンサを配置することが記載され、引用例４には、印刷品質の状況を判定するための検査機２４を印刷ユニットＡの直後から本願発明のパイル形成装置に対応するパレット２の複数基の最初のものに至る直線的な枚葉紙搬送区間の領域内に配置することが記載されていることからみて、引用例１の発明を枚葉紙の両面に印刷する両面輪転印刷機用とするに際し、印刷機直後から最初のパイル形成装置に至る直線的な枚葉紙搬送区間の領域内にビデオカメラを配置し、その配置を枚葉紙の運動軌道上の表面側及び裏面側、即ち上側及び下側とすることは当業者が容易になし得る設計の変更と認められる。
　そして、引用例４ではデリバリーチェン３の印刷ユニットＡ側が何に巻掛けられているのか明記はないが、スプロケット１１に巻掛けられたデリバリーチェン３の印刷ユニットＡ側にも巻掛けのためのスプロケットを設けることは当然になされる設計事項であり、パレット２は、１基でも排紙積載部として機能し、かつ、印刷品質を両面について検査するとしても両面にビデオカメラを配置したときには１基で十分なことは明らかであるから、直線的な枚葉紙搬送区間をスプロケットと１つのパイル形成装置との間に設けるとすることに特に発明力を要するとは認められず、また、ビデオカメラによる撮影タイミングを、周知のつかみ爪台車（本願明細書ではくわえ爪台車とも称している。引用例４では咥爪４を取り付ける部分を構成するブラケット１６や爪台２２などからなるものが対応する）に邪魔されずに画像を撮影できる時、即ちつかみ爪台車が画像を通過しなくなった時とすることは当然に考慮される設計事項であるから、相違点２に格別のものは認められない。
　相違点３について検討する。
　引用例５には、印刷面の状態を静止画として監視するために使用されるテレビカメラで撮影する際に同期して発光するストロボ光源をテレビカメラとユニット化して配置することが記載され、常に同じ条件で撮影するために整列配置することは当然の設計事項であり、引用例１にもビデオカメラで撮影するに際して十分な照明を照射すべきことが示唆されていることから、引用例１の発明にビデオカメラと共にストロボ光源も整列配置させ、ビデオカメラに画像受信命令を発信する装置から送られる命令で発光も行うようになすことは、当業者が必要に応じて適宜なし得る設計の変更と認められ、また、ストロボ光源としてフラッシュライトは普通に採用されるものであるため、相違点３に格別のものは認められない。
　相違点４について検討する。
  周期駆動や同期駆動している構成要素間の作業タイミングの調整を図ることやそのためにメモリーを有するマイクロプロセッサユニットを設けて全体的に制御することは制御技術における常套手段であり、かつ、このようなマイクロプロセッサユニット内に目標値の記憶部を設けることも単なる選択的設計事項と認められることから、相違点４に格別のものは認められない。
　相違点５について検討する。
　本願発明の学習モードについて、請求人は、平成１２年１２月６日付け意見書中で、出願当初の明細書の段落［００１６］の記載に基づくものである旨述べているが、請求項２において学習モードについて限定された事項を勘案すると、請求項１に係る本願発明の学習モードは印刷済み枚葉紙を再び印刷機に通すものに限定されないものと認められる。
　そこで検討するに、引用例２には、印刷品質を検査するための基準となる目標値を記憶するために、正常な印刷物の絵柄信号が取り込まれたときに、モード（基準信号とり込みモード）でその絵柄信号を画素毎に記憶することが記載され、引用例３には、基準値又は判定レベルを印刷物のデータにより修正するという考え方が記載されていることから、引用例１の発明の目標値を画素で記憶する手段を、学習モードとして認識し得るモードを有するものとなすことは当業者が容易になし得る設計の変更と認められ、相違点５に格別のものは認められない。
　
　以上のとおり、相違点１乃至５のいずれにも格別のものは認められないものである。
　
４．むすび
　したがって、本願発明は、引用例１乃至５に記載された発明及び周知技術並びに常套手段に基づいて当業者が容易に発明をすることができたものであるので、特許法第２９条第２項の規定により特許を受けることができない。
　よって、結論のとおり審決する。